(57)【要約】  【課題】  バックライト装置において反射板に発生する撓み反りを光源支持具を用いて防止する。  【解決手段】  シールド１の表面に反射板２を敷き、その前方に略等間隔に蛍光管３を配置するとともに隣り合う蛍光管３同士の適箇所を光源支持具４によりシールド１に取り付け、さらに蛍光管３の前方に拡散板１５および光学シート１６を配置したバックライト装置に用いられる光源支持具４において、上下に開口して隣り合う光源の内側から光源を挟み込むように支持する１対の支持部４ａと、１対の支持部４ａ間を蛍光管３の垂直方向に一体に接続するとともに中央部分が蛍光管３の長手方向に膨らんだ平面形状を有する架橋部４ｃと、架橋部４ｃの裏面中央部分または前記支持部の裏面に突設されるとともに外周部に抜け止め片を有しシールド１に形成された取り付け孔に挿入係止される係止部４ｂとを備える。【選択図】  図１
2005203154.tif 000002
【特許請求の範囲】
【請求項１】
シールドの表面に反射板を敷き、その前方に略等間隔に棒状の光源を配置するとともに隣り合う光源同士の適箇所を光源支持具によりシールドに取り付け、さらに前記光源の前方に拡散板および光学シートを配置したバックライト装置に用いられる光源支持具において、
前記反射板との当接面を光源の長手方向に拡大しまたは当接範囲を光源の長手方向に拡張したことを特徴する光源支持具。
【請求項２】
シールドの表面に反射板を敷き、その前方に略等間隔に棒状の光源を配置するとともに隣り合う光源同士の適箇所を光源支持具によりシールドに取り付け、さらに前記光源の前方に拡散板および光学シートを配置したバックライト装置に用いられる光源支持具において、
上下に開口して隣り合う光源の内側から光源を挟み込むように支持する１対の支持部と、
該１対の支持部間を光源の垂直方向に一体に接続するとともに中央部分が光源の長手方向に膨らんだ平面形状を有する架橋部と、
該架橋部の裏面中央部分または前記支持部の裏面に突設されるとともに外周部に抜け止め片を有し前記シールドに形成された取り付け孔に挿入係止される係止部と、
を備えたことを特徴とする光源支持具。
【請求項３】
シールドの表面に反射板を敷き、その前方に略等間隔に棒状の光源を配置するとともに隣り合う光源同士の適箇所を光源支持具によりシールドに取り付け、さらに前記光源の前方に拡散板および光学シートを配置したバックライト装置に用いられる光源支持具において、
上下に開口して隣り合う光源の内側から光源を挟み込むように支持する１対の支持部と、
該一方の支持部と該他方の支持部とを光源の長手方向に適間隔をおいて配置して前記両者間を一体に接続した架橋部と、
該架橋部の裏面中央部分または前記支持部の裏面に突設されるとともに外周部に抜け止め片を有し前記シールドに形成された取り付け孔に挿入係止される係止部と、
を備えたことを特徴とする光源支持具。
【請求項４】
請求項３に記載の光源支持具において、
前記架橋部の平面形状を、前記両支持部を直線で結ぶ平行四辺形としたことを特徴とする光源支持具。
【請求項５】
請求項３に記載の光源支持具において、
前記架橋部の平面形状を、Ｓ字状としたことを特徴とする光源支持具。
【請求項６】
請求項３に記載の光源支持具において、
前記架橋部の平面形状を、クランク形状としたことを特徴とする光源支持具。
【請求項７】
シールドの表面に反射板を敷き、その前方に略等間隔に棒状の光源を配置するとともに隣り合う光源同士の適箇所を光源支持具によりシールドに取り付け、さらに前記光源の前方に拡散板および光学シートを配置したバックライト装置に用いられる光源支持具において、
上下に開口して隣り合う光源の内側から光源を挟み込むように支持する４個の支持部と、
該４個の支持部を２分し一方の２個の支持部と他方の２個の支持部とを光源の長手方向に適間隔をおいて配置して前記４個の支持部間を一体に接続した架橋部と、
該架橋部の裏面中央部分または前記支持部の裏面に突設されるとともに外周部に抜け止め片を有し前記シールドに形成された取り付け孔に挿入係止される係止部と、
を備えたことを特徴とする光源支持具。
【請求項８】
請求項７に記載の光源支持具において、
前記架橋部の平面形状を、前記４個の支持部間を結ぶＸ字形としたことを特徴とする光源支持具。
【請求項９】
請求項７に記載の光源支持具において、
前記架橋部の平面形状を、前記４個の支持部間を結ぶＨ字形としたことを特徴とする光源支持具。
【請求項１０】
請求項１乃至９のいずれか１項に記載の光源支持具において、
前記シールドおよび前記反射板が光源の垂直方向に凹凸形状を有する場合に、前記架橋部をその形状に合わせて湾曲または折曲させたことを特徴とする光源支持具。
【請求項１１】
請求項１乃至１０のいずれか１項に記載の光源支持具を用いたことを特徴とするバックライト装置。
【請求項１２】
請求項３乃至６のいずれか１項に記載の光源支持具を互いに対称形をした２種類用意し、２種類の光源支持具をそれぞれ中央部分で交差させて配置したことを特徴とするバックライト装置。
【請求項１３】
請求項３乃至６のいずれか１項に記載の光源支持具を互いに対称形をした２種類用意し、２種類の光源支持具を交互に配置したことを特徴とするバックライト装置。
【請求項１４】
請求項３乃至６のいずれか１項に記載の光源支持具を支持部の間隔の異なる２種類以上を用意し、それらの光源支持具を交互に配置したことを特徴とするバックライト装置。
【発明の詳細な説明】
【技術分野】
【０００１】
本発明は、液晶表示装置のバックライト装置において光源を支持するために用いられる光源支持具およびその光源支持具を用いたバックライト装置に関するものである。
【背景技術】
【０００２】
従来、液晶表示装置のバックライト装置として、特許文献１が開示されている。特許文献１によれば、光源と、この光源からの光を反射する反射部と、上記光源の前面側に配置され、この光源から直接入射する光、もしくは上記光源からの光が上記反射部にて反射されて導かれる光を拡散する光拡散部とを有しており、この光拡散部を通して前面側に配される機器の照明をおこなうバックライトユニットにおいて、上記光拡散部には、上記光源との距離に対応して光反射パターンが形成されていると共に、上記光源と光拡散部との相対位置がずれないように、光拡散板を支持することで、光拡散部の反りを防止して、バックライト照明をより均一におこなうように構成されている。
【０００３】
しかしながら、上述の装置では、反射部の表面に白色の樹脂からなる反射板が敷かれることがあり、その場合、光源と拡散板が支持されるだけであり、反射板の反りまで考慮して設計されていないので、環境温度が高温になった時等に反射板の反りが発生して、当初の光学設計で意図していない輝度分布や輝度のムラを発生することがある。また、反射板が金属製の場合は、蛍光管に反射板が一部近接すると蛍光管からの漏れ電流が起こり易くなり、蛍光管の不十分な点灯を誘発する。このように反射板の反り等により、画面輝度分布に影響を及ぼすという課題を有していた。
そこで、これらの反りを防止するために光源支持具という部材をしばしば採用することがある。
【０００４】
図２７〜３０に従来のバックライト装置を用いた液晶表示装置の一例を示し説明する。図２７は液晶表示装置の前面部分を除去してバックライト装置の内部を示した正面図であり、図２８はその液晶表示装置の側断面図であり、図２９、図３０はバックライト装置に用いられる光源支持具を示す斜視図であり、係止部２０ｂが１箇所の光源支持具２０と、係止部２０ｂが２箇所の光源支持具２０が示されている。この液晶表示装置の主な構成部材は、シールド１、反射板２、蛍光管３、光源支持具２０、拡散板１５、光学シート類１６、液晶パネル１７からなる。
【０００５】
光源支持具２０の構成は、隣合う蛍光管３を保持するために両先端部に設けられ上下に開口した形状の光源支持部２０ａと、外側を向いた１対の光源支持部２０ａの間を接続し２本の蛍光管３の間隔を一定に保つための架橋部２０ｃと、光源支持部２０ａの裏面または架橋部２０ｃの中間位置の裏面に突設された係止部２０ｂとから構成されている。このバックライト装置を組み立てる場合は、シールド１の底面に反射板２を置き、光源支持具２０の係止部２０ｂをシールド２、反射板２のそれぞれの相当位置に設けた孔に挿入係止させる。この光源支持具２０を反射板２の上に設けたことにより、長尺化した蛍光管３の保持と大型化した反射板２に生じ易い自重による撓みあるいは弛みを防止して、光学部材配置を設計通り確実に実現できる。
【０００６】
一方、フレーム付の液晶パネル１７側に光学シート類１６と拡散板１５を位置合わせし突起（図示せず）に合わせ込み液晶パネルユニットを形成し、光源部との嵌合で光源装置が組立てられる。従来の光源支持具２０は、その本来の役割を考えると、２本の蛍光管３を長尺方向に対し同じ位置で保持するだけで十分であり、その架橋部２０ｃも蛍光管３配列方向に垂直かつ直線的な形状だけを考えれば設計思想として十分であった。ところで、今日の直下式バックライトの蛍光管３配置方向は、蛍光管３に内在する水銀分布の偏重防止等の理由により概して水平方向であることが一般的である。よって、これまでの一般的な光源支持具２０の実施形態において架橋部２０ｃは図のように画面垂直方向に直線的な形状を有するものが殆どである。
【特許文献１】特開平６−２７３７６０号公報
【発明の開示】
【発明が解決しようとする課題】
【０００７】
そこで、本発明は、従来、隣り合う２本の蛍光管を支えることのみを目的としていた光源支持具の機能を再考して、反射板に発生する撓み反りを防止することが可能な光源支持具を提案することを目的とした。
【課題を解決するための手段】
【０００８】
上記課題を解決するために、本発明は、シールドの表面に反射板を敷き、その前方に略等間隔に棒状の光源を配置するとともに隣り合う光源同士の適箇所を光源支持具によりシールドに取り付け、さらに前記光源の前方に拡散板および光学シートを配置したバックライト装置に用いられる光源支持具において、前記反射板との当接面を光源の長手方向に拡大しまたは当接範囲を光源の長手方向に拡張したことを特徴する。すなわち、シールドの表面に反射板を敷き、その前方に略等間隔に棒状の光源を配置するとともに隣り合う光源同士の適箇所を光源支持具によりシールドに取り付け、さらに前記光源の前方に拡散板および光学シートを配置したバックライト装置に用いられる光源支持具において、上下に開口して隣り合う光源の内側から光源を挟み込むように支持する１対の支持部と、該１対の支持部間を光源の垂直方向に一体に接続するとともに中央部分が光源の長手方向に膨らんだ平面形状を有する架橋部と、該架橋部の裏面中央部分または前記支持部の裏面に突設されるとともに外周部に抜け止め片を有し前記シールドに形成された取り付け孔に挿入係止される係止部とを備える。
【０００９】
また、本発明は、シールドの表面に反射板を敷き、その前方に略等間隔に棒状の光源を配置するとともに隣り合う光源同士の適箇所を光源支持具によりシールドに取り付け、さらに前記光源の前方に拡散板および光学シートを配置したバックライト装置に用いられる光源支持具において、上下に開口して隣り合う光源の内側から光源を挟み込むように支持する１対の支持部と、該一方の支持部と該他方の支持部とを光源の長手方向に適間隔をおいて配置して前記両者間を一体に接続した架橋部と、該架橋部の裏面中央部分または前記支持部の裏面に突設されるとともに外周部に抜け止め片を有し前記シールドに形成された取り付け孔に挿入係止される係止部とを備える。ここで、前記架橋部の平面形状を前記両支持部を直線で結ぶ平行四辺形とし、または前記架橋部の平面形状をＳ字状とし、または前記架橋部の平面形状をクランク形状とすることが可能である。
【００１０】
また、本発明は、シールドの表面に反射板を敷き、その前方に略等間隔に棒状の光源を配置するとともに隣り合う光源同士の適箇所を光源支持具によりシールドに取り付け、さらに前記光源の前方に拡散板および光学シートを配置したバックライト装置に用いられる光源支持具において、上下に開口して隣り合う光源の内側から光源を挟み込むように支持する４個の支持部と、該４個の支持部を２分し一方の２個の支持部と他方の２個の支持部とを光源の長手方向に適間隔をおいて配置して前記４個の支持部間を一体に接続した架橋部と、該架橋部の裏面中央部分または前記支持部の裏面に突設されるとともに外周部に抜け止め片を有し前記シールドに形成された取り付け孔に挿入係止される係止部とを備える。ここで、前記架橋部の平面形状を、前記４個の支持部間を結ぶＸ字形とし、または前記４個の支持部間を結ぶＨ字形とすることが可能である。
【００１１】
なお、前記シールドおよび前記反射板が光源の垂直方向に凹凸形状を有する場合に、前記架橋部をその形状に合わせて湾曲または折曲させることも可能である。これらの光源支持具を用いてバックライト装置を構成する場合に、前記光源支持具を互いに対称形をした２種類用意し、２種類の光源支持具をそれぞれ中央部分で交差させて配置することが可能である。また、前記光源支持具を互いに対称形をした２種類用意し、２種類の光源支持具を交互に配置することが可能である。また、前記光源支持具を支持部の間隔の異なる２種類以上を用意し、それらの光源支持具を交互に配置することが可能である。
【発明の効果】
【００１２】
以上述べたように本発明によれば、光源支持具の架橋部の形状を種々変化させることで反射板との当接面積を光源の長手方向に拡大しまたは当接範囲を光源の長手方向に拡張したことにより、反射板のシールドへの密着性が増して、反射板の撓み反りが解消され、輝度ムラのないバックライト装置が得られる。
【発明を実施するための最良の形態】
【００１３】
以下、図に基づいて本発明の実施形態を説明する。
図１は本発明に係るバックライト装置の第１の実施形態を示す正面図であり、前部の一部が除去されている。図２および図３はそれぞれ図１の実施形態に用いられる光源支持具の斜視図である。なお、図１の側断面図は図２８と同じであるので省略する。図１において、１はシールドであり、その前面に反射板２が敷かれ、その前方に光源である蛍光管３が等間隔で配置され、この蛍光管３を光源支持具４によりシールド１に保持する。
【００１４】
光源支持具４は、透明または白色の樹脂により形成され、図２および図３に示されるように、両端に、上下に開口して隣り合う蛍光管３の内側から蛍光管３を挟み込むように支持する支持部４ａが設けられ、これら１対の支持部４ａ間を架橋部４ｃが蛍光管３の垂直方向に一体に接続する。架橋部４ｃは中央部分が蛍光管３の長手方向に膨らんだ楕円形の平面形状を有している。この架橋部４ｃの裏面中央部分または支持部４ａの裏面に係止部４ｂが突設されている。係止部４ｂの外周部には抜け止め片が形成され、反射板２およびシールド１に形成された取り付け孔に挿入されると抜け止め片がシールド１に係止される。この実施形態は、光源支持具４の架橋部４ｃが楕円形に形成されたことで、より大きな面積で反射板２に当接され、反射板２の撓みや反りの発生を防止することができる。なお図示例では、架橋部４ｃを楕円形としたが、菱形や矩形とすることも可能である。
【００１５】
図４は本発明に係るバックライト装置の第２の実施形態を示す正面図であり、前部の一部が除去されている。図５および図６はそれぞれ図４の実施形態に用いられる光源支持具の斜視図である。なお、図４の側断面図は図２８と同じであるので省略する。図４において、１はシールドであり、その前面に反射板２が敷かれ、その前方に光源である蛍光管３が等間隔で配置され、この蛍光管３を光源支持具５によりシールド１に保持する。
【００１６】
光源支持具５は、透明または白色の樹脂により形成され、図５および図６に示されるように、両端に、上下に開口して隣り合う蛍光管３の内側から蛍光管３を挟み込むように支持する支持部５ａが設けられ、これら１対の支持部５ａは蛍光管３の長手方向に適間隔をおいて配置され両支持部５ａが架橋部５ｃにより一体に接続されている。この架橋部５ｃの裏面中央部分または支持部５ａの裏面に係止部５ｂが突設されている。係止部５ｂの外周部には抜け止め片が形成され、反射板２およびシールド１に形成された取り付け孔に挿入されると抜け止め片がシールド１に係止される。この実施形態は、光源支持具５の架橋部５ｃが蛍光管３に対して斜め方向となる平行四辺形に形成されたことで、より大きな範囲で反射板２に当接され、反射板２の撓みや反りの発生を防止することができる。
【００１７】
図７は本発明に係るバックライト装置の第３の実施形態を示す正面図であり、前部の一部が除去されている。なお、図７の側断面図は図２８と同じであるので省略する。図７において、１はシールドであり、その前面に反射板２が敷かれ、その前方に光源である蛍光管３が等間隔で配置され、この蛍光管３を光源支持具５Ａ〜５Ｄによりシールド１に保持する。光源支持具５Ａは図４の光源支持具５と同一のものであり、光源支持具５Ｂは光源支持具５Ａを左右対称形に形成したものであり、光源支持具５Ｃは光源支持具５Ａよりも支持部５ａの間隔を長くしたものであり、支持部５Ｄは光源支持具５Ｃを左右対称形に形成したものである。図示例は、バックライト装置の両外側を支持部５ａの間隔を短くした光源支持具５Ａと光源支持具５Ｂを交互に配置し、その内側中央部分を支持部５ａの間隔を長くした光源支持具５Ｃと光源支持具５Ｄを交互に配置したものであり、反射板２は、バックライト装置の外側よりも内側部分に多く撓み反りが発生するので、その現状に合わせて、光源支持具５Ａ〜５Ｄを配置したものである。
【００１８】
図８は本発明に係るバックライト装置の第４の実施形態を示す正面図であり、前部の一部が除去されている。なお、図８の側断面図は図２８と同じであるので省略する。図８において、１はシールドであり、その前面に反射板２が敷かれ、その前方に光源である蛍光管３が等間隔で配置され、この蛍光管３を光源支持具５Ａ，５Ｂによりシールド１に保持する。光源支持具５Ａ，５Ｂは図７の光源支持具５Ａ，５Ｂと同一のものであり、互いに左右対称形の光源支持具５Ａ，５Ｂを交差させて配置したものであり、光源支持具５Ａ，５Ｂを１個ずつ取り付けた場合の２倍の当接面積となり、その分、撓み反りの発生を防止する効果が増大する。なお、図８中の左側部分は、光源支持具５Ａ，５Ｂを交差させたものを２本の蛍光管３ごとに左右にずらしたものであり、図８中の右側部分は、光源支持具５Ａ，５Ｂを交差させたものを左右にずらすことなく一列に配置したものである。これらは、バックライト装置における反射板２の撓み反りの発生状況に応じて使い分けるものである。
【００１９】
図９は本発明に係るバックライト装置の第５の実施形態を示す正面図であり、前部の一部が除去されている。図１０および図１１はそれぞれ図９の実施形態に用いられる光源支持具の斜視図である。なお、図９の側断面図は図２８と同じであるので省略する。図９において、１はシールドであり、その前面に反射板２が敷かれ、その前方に光源である蛍光管３が等間隔で配置され、この蛍光管３を光源支持具６によりシールド１に保持する。
【００２０】
光源支持具６は、透明または白色の樹脂により形成され、図１０および図１１に示されるように、両端に、上下に開口して隣り合う蛍光管３の内側から蛍光管３を挟み込むように支持する支持部６ａが設けられ、これら１対の支持部６ａは蛍光管３の長手方向に適間隔をおいて配置され両支持部６ａが架橋部６ｃにより一体に接続されている。この架橋部６ｃの裏面中央部分または支持部６ａの裏面に係止６ｂが突設されている。係止部６ｂの外周部には抜け止め片が形成され、反射板２およびシールド１に形成された取り付け孔に挿入されると抜け止め片がシールド１に係止される。この実施形態は、光源支持具６の架橋部６ｃが蛍光管３に対して斜め方向にＳ字状曲線で結ぶＳ字状帯形に形成されたことで、より大きな範囲で反射板２に当接され、反射板２の撓みや反りの発生を防止することができる。
【００２１】
図１２は本発明に係るバックライト装置の第６の実施形態を示す正面図であり、前部の一部が除去されている。図１３および図１４はそれぞれ図１２の実施形態に用いられる光源支持具の斜視図である。なお、図１２の側断面図は図２８と同じであるので省略する。図１２において、１はシールドであり、その前面に反射板２が敷かれ、その前方に光源である蛍光管３が等間隔で配置され、この蛍光管３を光源支持具７によりシールド１に保持する。
【００２２】
光源支持具７は、透明または白色の樹脂により形成され、図１３および図１４に示されるように、両端に、上下に開口して隣り合う蛍光管３の内側から蛍光管３を挟み込むように支持する支持部７ａが設けられ、これら１対の支持部７ａは蛍光管３の長手方向に適間隔をおいて配置され両支持部７ａが架橋部７ｃにより一体に接続されている。この架橋部７ｃの裏面中央部分または支持部７ａの裏面に係止部７ｂが突設されている。係止部７ｂの外周部には抜け止め片が形成され、反射板２およびシールド１に形成された取り付け孔に挿入されると抜け止め片がシールド１に係止される。この実施形態は、光源支持具７の架橋部７ｃがクランク状直線で結ぶクランク状帯形に形成されたことで、より大きな範囲で反射板２に当接され、反射板２の撓みや反りの発生を防止することができる。なお、図示例では光源支持具７のクランク形の中間線分を蛍光管３の垂直方向としたが、中間線分を蛍光管３の長手方向とすることも可能である。すなわち、図示された光源支持具７を９０度回転した形状にすることも可能である。
【００２３】
図１５は本発明に係るバックライト装置の第７の実施形態を示す正面図であり、前部の一部が除去されている。図１６および図１７はそれぞれ図１５の実施形態に用いられる光源支持具の斜視図である。なお、図１５の側断面図は図２８と同じであるので省略する。図１５において、１はシールドであり、その前面に反射板２が敷かれ、その前方に光源である蛍光管３が等間隔で配置され、この蛍光管３を光源支持具８によりシールド１に保持する。
【００２４】
光源支持具８は、透明または白色の樹脂により形成され、図１６および図１７に示されるように、両端に、上下に開口して隣り合う蛍光管３の内側から蛍光管３を挟み込むように支持する４個の支持部８ａが設けられ、これら４個の支持部８ａは蛍光管３の長手方向に適間隔をおいて２個ずつ配置され各支持部８ａがＸ字形をした架橋部８ｃにより一体に接続されている。この架橋部８ｃの裏面中央部分または支持部８ａの裏面に係止部８ｂが突設されている。係止部８ｂの外周部には抜け止め片が形成され、反射板２およびシールド１に形成された取り付け孔に挿入されると抜け止め片がシールド１に係止される。この実施形態は、光源支持具８の架橋部８ｃがＸ字形に形成されたことで、より大きな範囲で反射板２に当接され、反射板２の撓みや反りの発生を防止することができる。なお、図１５中の左側部分は、光源支持具８を２本の蛍光管３ごとに左右にずらしたものであり、図８中の右側部分は、光源支持具８を左右にずらすことなく一列に配置したものである。これらは、バックライト装置における反射板２の撓み反りの発生状況に応じて使い分けるものである。
【００２５】
図１８は本発明に係るバックライト装置の第８の実施形態を示す正面図であり、前部の一部が除去されている。図１９および図２０はそれぞれ図１８の実施形態に用いられる光源支持具の斜視図である。なお、図１８の側断面図は図２８と同じであるので省略する。図１８において、１はシールドであり、その前面に反射板２が敷かれ、その前方に光源である蛍光管３が等間隔で配置され、この蛍光管３を光源支持具９によりシールド１に保持する。
【００２６】
光源支持具９は、透明または白色の樹脂により形成され、図１９および図２０に示されるように、両端に、上下に開口して隣り合う蛍光管３の内側から蛍光管３を挟み込むように支持する４個の支持部９ａが設けられ、これら４個の支持部９ａは蛍光管３の長手方向に適間隔をおいて２個ずつ配置され各支持部９ａがＨ字形をした架橋部９ｃにより一体に接続されている。この架橋部９ｃの裏面中央部分または支持部９ａの裏面に係止部９ｂが突設されている。係止部９ｂの外周部には抜け止め片が形成され、反射板２およびシールド１に形成された取り付け孔に挿入されると抜け止め片がシールド１に係止される。この実施形態は、光源支持具９の架橋部９ｃがＨ字形に形成されたことで、より大きな範囲で反射板２に当接され、反射板２の撓みや反りの発生を防止することができる。なお、図示例では光源支持具９のＨ字形の中間線分を蛍光管３の垂直方向としたが、中間線分を蛍光管３の長手方向とすることも可能である。すなわち、図示された光源支持具９を９０度回転した形状にすることも可能である。
【００２７】
図２１は本発明に係るバックライト装置の第９の実施形態を示す正面図であり、前部の一部が除去されている。図２２は図２１の側断面図であり、図２３は図２１の実施形態に用いられる光源支持具の斜視図である。図２１および図２２において、１はシールドであり、その前面に反射板１２が敷かれ、その前方に光源である蛍光管３が等間隔で配置され、この蛍光管３を光源支持具１１によりシールド１に保持する。さらに、蛍光管３の前方に拡散板１５、光学シート類１６、液晶パネル１７が配置されている。この実施形態では、反射板１２が反射効率を高めるため、蛍光管３の間の部分で前方へ突出する山形に形成されている。
【００２８】
光源支持具１１は、透明または白色の樹脂により形成され、図２３に示されるように、両端に、上下に開口して隣り合う蛍光管３の内側から蛍光管３を挟み込むように支持する支持部１１ａが設けられ、これら１対の支持部１１ａは蛍光管３の長手方向に適間隔をおいて配置され両支持部１１ａが架橋部１１ｃにより一体に接続されている。架橋部１１ｃは反射板１２の形状に合わせて山形に形成されている。両端の支持部１１ａの裏面に係止部１１ｂが突設されている。係止部１１ｂの外周部には抜け止め片が形成され、反射板１２およびシールド１に形成された取り付け孔に挿入されると抜け止め片がシールド１に係止される。この実施形態は、光源支持具１１の架橋部１１ｃが反射板１２の形状に合わせて山形に形成されていることで、反射板１２の形状に合わせて反射板１２に当接され、反射板１２の撓みや反りの発生を防止することができる。
【００２９】
図２４は本発明に係るバックライト装置の第１０の実施形態を示す正面図であり、前部の一部が除去されている。図２５は図２４の側断面図であり、図２６は図２４の実施形態に用いられる光源支持具の斜視図である。図２４および図２５において、１はシールドであり、その前面に反射板１４が敷かれ、その前方に光源である蛍光管３が等間隔で配置され、この蛍光管３を光源支持具１３によりシールド１に保持する。さらに、蛍光管３の前方に拡散板１５、光学シート類１６、液晶パネル１７が配置されている。この実施形態では、反射板１４が反射効率を高めるため、蛍光管３の間の部分で前方へ突出する凹曲面に形成されその先端部が平面に形成されている。
【００３０】
光源支持具１３は、透明または白色の樹脂により形成され、図２６に示されるように、両端に、上下に開口して隣り合う蛍光管３の内側から蛍光管３を挟み込むように支持する支持部１３ａが設けられ、これら１対の支持部１３ａは蛍光管３の長手方向に適間隔をおいて配置され両支持部１３ａが架橋部１３ｃにより一体に接続されている。架橋部１３ｃは反射板１４の形状に合わせて湾曲した形状に形成されている。両端の支持部１３ａの裏面に係止部１３ｂが突設されている。係止部１３ｂの外周部には抜け止め片が形成され、反射板１４およびシールド１に形成された取り付け孔に挿入されると抜け止め片がシールド１に係止される。この実施形態は、光源支持具１３の架橋部３ｃが反射板１４の形状に合わせて先端が平らな山形に形成されていることで、反射板１４の形状に合わせて反射板１４に当接され、反射板１４の撓みや反りの発生を防止することができる。
【００３１】
なお、上述の各実施形態における反射板２，１２，１４は、反射性に優れた白色の樹脂や金属により形成されている。また、上述の各実施形態における光源支持具４〜９，１１，１３があまりに大きい構造になると、光源支持具自身の像が液晶パネル１７の画面上に浮き出ることがあるため、光源支持具は蛍光管３配置方向にも反射板２等を押さえる構造を有しながらも、その形状は輝度ムラに影響しない程度まで大きくしないように構成する。また、本発明では、光源支持具の架橋部の形状を種々に変化させたことで、不規則な光学特性変化を抑えることができるとともに、不規則な蛍光管の電気特性変化を抑えることができる効果が得られる。
【産業上の利用可能性】
【００３２】
本発明は、液晶表示装置以外には、平面光源を必要とする各種表示装置、陳列装置等への利用が可能である。
【図面の簡単な説明】
【００３３】
【図１】本発明に係るバックライト装置の第１の実施形態を示す正面図である。
【図２】図１の実施形態に用いられる光源支持具の斜視図である。
【図３】図１の実施形態に用いられる光源支持具の斜視図である。
【図４】本発明に係るバックライト装置の第２の実施形態を示す正面図である。
【図５】図４の実施形態に用いられる光源支持具の斜視図である。
【図６】図４の実施形態に用いられる光源支持具の斜視図である。
【図７】本発明に係るバックライト装置の第３の実施形態を示す正面図である。
【図８】本発明に係るバックライト装置の第４の実施形態を示す正面図である。
【図９】本発明に係るバックライト装置の第５の実施形態を示す正面図である。
【図１０】図９の実施形態に用いられる光源支持具の斜視図である。
【図１１】図９の実施形態に用いられる光源支持具の斜視図である。
【図１２】本発明に係るバックライト装置の第６の実施形態を示す正面図である。
【図１３】図１２の実施形態に用いられる光源支持具の斜視図である。
【図１４】図１２の実施形態に用いられる光源支持具の斜視図である。
【図１５】本発明に係るバックライト装置の第７の実施形態を示す正面図である。
【図１６】図１５の実施形態に用いられる光源支持具の斜視図である。
【図１７】図１５の実施形態に用いられる光源支持具の斜視図である。
【図１８】本発明に係るバックライト装置の第８の実施形態を示す正面図である。
【図１９】図１８の実施形態に用いられる光源支持具の斜視図である。
【図２０】図１８の実施形態に用いられる光源支持具の斜視図である。
【図２１】本発明に係るバックライト装置の第９の実施形態を示す正面図である。
【図２２】図２１の側断面図である。
【図２３】図２１の実施形態に用いられる光源支持具の斜視図である。
【図２４】本発明に係るバックライト装置の第１０の実施形態を示す正面図である。
【図２５】図２４の側断面図である。
【図２６】図２４の実施形態に用いられる光源支持具の斜視図である。
【図２７】従来のバックライト装置の正面図である。
【図２８】図２７の側面図である。
【図２９】従来の光源支持具を示す斜視図である。
【図３０】従来の光源支持具を示す斜視図である。
【符号の説明】
【００３４】
１  シールド
２  反射板
３  蛍光管
４  光源支持具
４ａ  支持部
４ｂ  係止部
４ｃ  架橋部
５  光源支持具
５ａ  支持部
５ｂ  係止部
５ｃ  架橋部
５Ａ〜５Ｄ  光源支持具
６    光源支持具
６ａ  支持部
６ｂ  係止
６ｃ  架橋部
７ 
光源支持具
７ａ  支持部
７ｂ  係止部
７ｃ  架橋部
８  光源支持具
８ａ  支持部
８ｂ  係止部
８ｃ  架橋部
９  光源支持具
９ａ  支持部
９ｂ  係止部
９ｃ  架橋部
１１  光源支持具
１１ａ  支持部
１１ｂ  係止部
１１ｃ  架橋部
１２  反射板
１３  光源支持具
１３ａ  支持部
１３ｂ  係止部
１３ｃ  架橋部
１４  反射板
１５  拡散板  
１６  光学シート類
１７  液晶パネル
【図１】
2005203154.tif 000003
【図２】
2005203154.tif 000004
【図３】
2005203154.tif 000005
【図４】
2005203154.tif 000006
【図５】
2005203154.tif 000007
【図６】
2005203154.tif 000008
【図７】
2005203154.tif 000009
【図８】
2005203154.tif 000010
【図９】
2005203154.tif 000011
【図１０】
2005203154.tif 000012
【図１１】
2005203154.tif 000013
【図１２】
2005203154.tif 000014
【図１３】
2005203154.tif 000015
【図１４】
2005203154.tif 000016
【図１５】
2005203154.tif 000017
【図１６】
2005203154.tif 000018
【図１７】
2005203154.tif 000019
【図１８】
2005203154.tif 000020
【図１９】
2005203154.tif 000021
【図２０】
2005203154.tif 000022
【図２１】
2005203154.tif 000023
【図２２】
2005203154.tif 000024
【図２３】
2005203154.tif 000025
【図２４】
2005203154.tif 000026
【図２５】
2005203154.tif 000027
【図２６】
2005203154.tif 000028
【図２７】
2005203154.tif 000029
【図２８】
2005203154.tif 000030
【図２９】
2005203154.tif 000031
【図３０】
2005203154.tif 000032